(57)【特許請求の範囲】
【請求項１】
本体後部に、ゴルフバッグの非持ち手側の底部を当着載置する凹部面を形成したこと、前記本体前部の側板間に、車輪軸を凹部面より前方位置で渡設すると共に、前記側板外へ突出させた前記車輪軸の両端に車輪を装着し、当該車輪は前記側板の下端面と面一で地面に接地すること、前記車輪軸より前方に、前記側板の前端面の下端を切除した斜面を形成したことを特徴とするゴルフバッグの搬送具。
【請求項２】
ゴルフバッグの非持ち手側の底部を当着載置する凹部面の形成段部面に着脱部材を装着し、対応するゴルフバッグの非持ち手側の底部の下端部の着脱部材と着脱可能に取り付けられるようにしたことを特徴とする請求項１記載のゴルフバッグの搬送具。
【請求項３】
ゴルフバッグの底部を捲回する結束紐体を有すことを特徴とする請求項２記載のゴルフバッグの搬送具。
【請求項４】
引き手用把持部にゴルフバッグへ巻着可能な巻着用紐体を設け、この引き手用把持部がゴルフバッグの非持ち手側へ水平方向に当着できるように、前記巻着用紐体をゴルフバッグの持ち手用ハンドルに挿通してゴルフバッグへ巻着可能に装着する引き手具と、請求項１乃至３のいずれかに記載の搬送具との組み合わせから成るゴルフバッグの搬送用具。
【発明の詳細な説明】
【技術分野】
【０００１】
本発明は、ゴルフバッグの搬送具及びゴルフバッグの搬送用具に関するものである。
【背景技術】
【０００２】
ゴルフバッグは大型化の傾向にあり、ゴルフクラブを収納した状態では１５ｋｇ前後の重量に成る。
これを自宅等からゴルフ場や練習場まで、或いはゴルフ場内を持ち運ぶ際は、ゴルフバッグに付設した持ち手用ハンドル部分を把持して持ち上げて、或いはショルダーベルトを肩に掛けて運ぶこととなり、人によっては体力的に苦痛を伴うものとなる。
【０００３】
ところで、ゴルフバッグの多くは概ね円筒体で、上部にはゴルフクラブを出し入れするための開口部とその蓋カバーがあり、側面にはボールや雨具を収納するポケット及び持ち運び時に使用する持ち手用ハンドルやショルダーベルトが設けられ、底部にはゴルフクラブのグリップが位置する底部キャップ等で構成されている。
底部キャップの底部面はゴルフクラブを挿入する際や、垂直状態で静置する際の衝撃を吸収できるように、充分な強度と安定を確保できる素材の板材で形成してあり、更に底面には円筒形や複数の弧状片の脚部が下設されている。
【０００４】
そして、空のゴルフバッグは持ち手用ハンドルを把持して持ち上げると、３０度前後前傾した状態となり、ゴルフクラブ等を収納した場合は重心が移動して８０度前後前傾するように設計してあり、ゴルフバッグを持ち上げた際に、低くても底部キャップが床面等に接触しないように配慮したものである。
【０００５】
さらに、ゴルフバッグの底部にキャスターを付設して、ゴルフバッグを持ち上げる事無く押して移動できように、持ち運びの際の軽減を図ったものが種々工夫されている。
【０００６】
しかし、キャスターを底部に複数取り付けたものは、垂直に立て場合に不安定であり、移動の際には直立状態を維持する必要があり、底部以外は柔軟性のある素材を使用されているものは重量を支えきれない問題がある。
したがって、ゴルフバッグの重心を考えるとバッグを傾斜させて底部キャップの一側にキャスターを設けて移動する方が安定した支持を得られて好ましいと考えられる。
【０００７】
また、ゴルフバッグは上記の様に、本来持ち上げて底部が床に触れないように設計してあるため、傾斜させて持ち手用ハンドルを把持して移動する場合は、中腰にならないとキャスターが床に着いた状態を維持できない虞がある。
一方、ショルダーベルトを持って移動するとすれば、ショルダーベルトはゴルフバッグと点で繋がっているためキャスターの方向を操作することに問題が残るのである。
【先行技術文献】
【特許文献】
【０００８】
【特許文献１】特開２００８−２４６１８２号公報
【特許文献２】実開平０８−３９８号公報
【特許文献３】実開平０５−６８５６８号公報
【特許文献４】実開平０１−５９１６５号公報
【特許文献５】実開昭６３−１４８３６３号公報
【特許文献６】実開昭６２−１６６０号公報
【発明の概要】
【発明が解決しようとする課題】
【０００９】
そこで、本発明はゴルフバッグの持ち運びに際して身体に加わる負担を軽減すること、ゴルフバッグの起立時の安定を維持すること、及び持ち運び時におけるゴルフバッグの傾倒と車輪への支持を容易且つスムーズに移行できるようにすることを目的とするゴルフバッグの搬送具及びゴルフバッグの搬送用具を提供せんとするものである。
【課題を解決するための手段】
【００１０】
本発明に係る請求項１のゴルフバッグの搬送具は、本体後部に、ゴルフバッグの非持ち手側の底部を当着載置する凹部面を形成したこと、前記本体前部の側板間に、車輪軸を凹部面より前方位置で渡設すると共に、前記側板外へ突出させた前記車輪軸の両端に車輪を装着し、当該車輪は前記側板の下端面と面一で地面に接地すること、前記車輪軸より前方に、前記側板の前端面の下端を切除した斜面を形成したことを特徴とするものである。
【００１１】
請求項２に係るゴルフバッグの搬送具の発明は、請求項１において、ゴルフバッグの非持ち手側の底部を当着載置する凹部面の形成段部面に着脱部材を装着し、対応するゴルフバッグの非持ち手側の底部の下端部の着脱部材と着脱可能に取り付けられるようにしたことを特徴とするものである。
【００１２】
請求項３に係るゴルフバッグの搬送具の発明は、請求項２において、ゴルフバッグの底部を捲回する結束紐体を有すことを特徴とするものである。
【００１３】
請求項４に係るゴルフバッグの搬送具の発明は、引き手用把持部にゴルフバッグへ巻着可能な巻着用紐体を設け、この引き手用把持部がゴルフバッグの非持ち手側へ水平方向に当着できるように、前記巻着用紐体をゴルフバッグの持ち手用ハンドルに挿通してゴルフバッグへ巻着可能に装着する引き手具と、請求項１乃至３のいずれかに記載の搬送具との組み合わせから成るものである。
【発明の効果】
【００１４】
請求項１の発明は、本体後部に凹部面を形成したため、ゴルフバッグの非持ち手側の底部を当着載置できるものであり、底部に袴状の脚部のある底部キャップも安定して装着できる効果があり、ゴルフバッグの非持ち手側の底部を当着載置するから、前傾支持方向がゴルフバッグの重心位置と一致して前傾の維持が容易となる効果も発揮する。
【００１５】
また、本体前部の側板間に、車輪軸を凹部面より前方位置で渡設するため、前傾してもゴルフバッグが床等に接触することがなく、本体の側板外へ突出させた車輪軸の両端に車輪を装着したため、ゴルフバッグの重量をしっかりと支承すると共に走行の安定を図れる効果を有する。
【００１６】
そして、車輪は側板の下端面と面一で地面に設置するためゴルフバッグの静止時にも動くことなく直立体勢を維持できる効果を発揮するものである。
【００１７】
加えて、本体の側板の前端面の下端を切除して斜面に形成したことで、ゴルフバッグを前傾方向へ押し引きした時に切除した斜面に沿って傾倒していくため、容易に前傾させて車輪への支承を滑らかに行なえる効果を発揮する。
【００１８】
さらに、斜面が車輪軸より前方に形成され、車輪は側板の下端面と面一で地面に接地していため、前傾方向への加圧が車輪に作用することなく、先ず側板の先端となる斜面の下端部に作用し、かつ支点となって斜面に沿って本体が回転することで、車輪への支持を容易且つスムーズに移行させることができる効果を有する。
【００１９】
請求項２の発明は、請求項１の効果に加えて、ゴルフバッグの非持ち手側の底部を当着載置する凹部面の形成段部面に着脱部材を装着し、対応するゴルフバッグの非持ち手側の底部の下端部の着脱部材との着脱を可能としたため、搬送具のゴルフバッグへの着脱をより確実・安定して可能とし、且つ容易に行なえる効果を有する。
【００２０】
請求項３の発明は、請求項２の効果に加え、ゴルフバッグの底部を捲回する結束紐体を備えるため、ゴルフバッグへの搬送具の取り付けを、より確実・強固に行なうことができる効果を発揮する。
【００２１】
請求項４に係るゴルフバッグの搬送用具の発明は、引き手用把持部にゴルフバッグへ巻着可能な巻着用紐体を設け、この引き手用把持部がゴルフバッグの非持ち手側へ水平方向に当着できるように、巻着用紐体をゴルフバッグの持ち手用ハンドルに挿通してゴルフバッグへ巻着可能に装着する引き手具と、請求項１乃至３のいずれかに記載の搬送具との組み合わせであるから、持ち手用ハンドル部分を通した巻着用紐体に設けた引き手用把持部は水平方向に装着され、把持が容易であると共に、引き移動も支障なく楽にできる効果がある。
【００２２】
そして、ゴルフバッグを手前に傾倒して車輪を床等に接触させれば、引き手用把持部は上下には動くけれど、左右には制約を受けるため、ゴルフバッグの引く方向性が良好で、重量の多くを車輪が支えるため身体への負担を軽減させる効果を有する。
また、持ち手用ハンドル部分に巻着用紐体を通してあるため、引き手用把持部の上下方向へのズレや、緩んでも脱落することを回避できる効果も有する。
【図面の簡単な説明】
【００２３】
【図１】本発明のゴルフバッグの搬送具の一実施の形態を示す平面図である。
【図２】図１の側面図である。
【図３】図１の中央縦断側面図である。
【図４】本発明のゴルフバッグの引き手具の一実施の形態を示す平面図である。
【図５】図４の中央縦断側面図である。
【図６】本発明のゴルフバッグの搬送用具の使用形態を示す側面図である。
【発明を実施するための形態】
【００２４】
本発明のゴルフバッグの搬送具を図面に基づいて説明する。
図１は本発明のゴルフバッグの搬送具の一実施の形態を示す平面図、図２は同側面図、図３は図１の中央縦断側面図である。
【００２５】
ゴルフバッグの搬送具は、本体１の後方部に、ゴルフバッグ１００の非持ち手側の底部を当着載置する凹部面２が半月状に形成してあり、本体１の前方部の側板３，３間に、車輪軸４を凹部面２より前方位置で渡設すると共に、本体１の側板３、３外へ突出させた車輪軸４の両端に車輪５、５を装着し、車輪５は側板３の下端面と面一で地面に接地する。
【００２６】
本体１は上面板１１、底板１２、側板３、３、段部形成板１３及び前面板１５で構成し、凹部面２を形成する底板１２と、凹部面２を欠除した上面板１１と段部形成板１３及び側板３、３とを必要により補強枠を介して構成した枠状体とを連結して一体化したものである。
【００２７】
車輪軸４は側板３、３及び内面に重合した軸受け部材３１を貫通して側板３、３外に突出し、突出した先端部に車輪５、５を回転可能に軸着してある。
前面板１５は下端が地上から浮いて側板３、３の前端面に渡設されている。
【００２８】
そして、側板３、３には、前端面の下端部を切除した斜面３２が前記前面板１５より下方に形成してあり、この斜面３２は車輪軸４より前方位置に形成されることが好ましい。
また、前記凹部面２の段部形成板１３に着脱部材（例えば面ファスナー）８を装着することもでき、対応するゴルフバッグ１００の非持ち手側の底部の下端部に設けた着脱部材と着脱可能に取り付けられるようにできる。
【００２９】
さらに、側板３、３の後端部近傍に取付孔３３、３３が形成され、ゴルフバッグ１００の底部を捲回する結束紐体６、６が巻き付けられており、一方の先端部のバックル６１により、他方の先方部を折り返して自着しゴルフバッグ１００の底部に締め付け可能としてある。
【００３０】
そこで、本体１の後方部の凹部面２の半月状部分は、ゴルフバッグ１００の各サイズに合わせて製作され、底部に脚部がある底部キャップ１０１でも段差が付いているため密着して装着でき、本体１の側板３、３の後端部には結束紐体６、６が付設されており、底部キャップ１０１に巻き着けてバックル６１を介して締め付けるため、底部キャップ１０１の底面と確実に密着する。
【００３１】
底部キャップ１０１の３分の１程度でも密接することで、前方の側板３，３の両側に装備された車輪４、４で移動する際、振動で凹部面２からのゴルフバッグ１００の脱落を防止でき、ゴルフバッグ１００を８０度前傾させた場合に、本体１にかかる荷重を前傾部分と底部キャップ１０１の部分に分散させて支承できるものである。
また、カート等に積載する際には簡単に本体１の脱着が可能で、しかも軽量なのでゴルフバッグ１００のポケット等に収納できて紛失の惧れもない。
【００３２】
そして、ゴルフバッグ１００を前傾させた場合、側板３、３の下端の斜面３２、３２が車輪軸４より前方に形成され、車輪５、５は側板３、３の下端面と面一で地面に接地していため、前傾方向への加圧が車輪５に作用することなく、先ず側板３、３の先端となる斜面３２、３２の下端部に作用し、かつ支点となって斜面３２、３２に沿って本体１が回転することで、車輪５、５への支持を容易且つスムーズに移行させることができる（図６）。
【００３３】
図４及び図５はゴルフバッグ１００の引き手具７の一実施の形態を表すものであり、巻着用紐体７１、引き手用把持部７２、三角状のスペーサ７３を両端部に有するプレート７４及びバックル７５から成り、ゴルフバッグ１００の非持ち手側に、引き手用把持部７２を位置せしめて巻着して使用するものである。
【００３４】
プレート７４には長手方向に巻着用紐体７１が挿通される挿通孔７６、７６が形成され、表面と成る長手方向の面の両側に支持片７７、７７を突設し、この支持片７７、７７にＵ字形の引き手用把持部７２の端部を回動可能に装着してあり、支持片７７、７７の反対面（裏面）の端部に三角状のスペーサ７３、７３が設けられ、前記挿通孔７６、７６に挿通した巻着用紐体７１、７１の二つの先部はバックル７５を介して締め付け自在に結着できるようになっている。
【００３５】
そこで、立設したゴルフバッグ１００の非持ち手側の面にプレート７４の三角状のスペーサ７３、７３を当て、引き手用把持部７２が水平方向に位置するように、ゴルフバッグ１００の持ち手用ハンドル１０２に巻着用紐体７１を通し、バックル６１を介して他方の先方部を折り返して自着し、ゴルフバッグ１００へ引き手具７を締め付けて装着するものである。
【００３６】
さすれば、プレート７４の左右端の２箇所でゴルフバッグ１００に当着した三角状のスペーサ７３、７３はゴルフバッグ１００の面に密着し、引き手用把持部７２もしっかりとゴルフバッグ１００へ固定され、持ち手用ハンドル１０２を通した巻着用紐体７１により引き手用把持部７２（プレート７４）は上下方向へのズレや、脱落を回避できる。
また、引き手用把持部７２は水平方向に装着され、前方からの把持が容易であると共に、引き移動も支障なく楽にできる。
【００３７】
そして、引き手用把持部７２を把持してゴルフバッグ１００を手前に傾倒して車輪５を床等に接触させれば移動が可能となり、引き手用把持部７２は上下には回動するけれど、左右方向の動きは制約を受けるため、ゴルフバッグ１００を引く方向性が良好で、重量の多くを車輪５で支えるため身体への負担を軽減させる。
スペーサ７３を設置することで殆どのサイズのゴルフバッグ１００に装着でき、引き手用把持部７２は上下に回動するためゴルフバッグ１００を立てた場合は下方向に回動して垂下するため邪魔にならない。
【００３８】
以上、一実施例に基づき本発明を説明したが、本発明は上記実施例に何ら限定されるものではなく、本発明の趣旨を逸脱しない範囲内で種々の改良変形が可能であることは容易に推察できるものである。
【符号の説明】
【００３９】
１          本体
２          凹部面
３          側板
４          車輪軸
５          車輪
６          結束紐体
７          引き手具
８          着脱部材
１１        上面板
１２        底板
１３        段部形成板
１５        前面板
３１        軸受け部材
３２        斜面
３３        取付孔
６１、７５  バックル
７１        巻着用紐体
７２        引き手用把持部
７３        三角状のスペーサ
７４        プレート
７６        挿通孔
７７        支持片
１００      ゴルフバッグ
１０１      底部キャップ
１０２      持ち手用ハンドル
【図１】
0005270698.tif 000002
【図２】
0005270698.tif 000003
【図３】
0005270698.tif 000004
【図４】
0005270698.tif 000005
【図５】
0005270698.tif 000006
【図６】
0005270698.tif 000007